(57)【要約】      （修正有）【課題】コーヒー粉、紅茶や緑茶の葉等の内容物を漉すために、漉し器の準備や洗浄等の手間が不要とするとともに、内容物が、外気の影響を受けて変質したり、フィルター等の臭いが移ったりするのを防止して、内容物の風味を保つ。【解決手段】開口２ａを有する袋状のフィルター部２と、開口１ａを有し、気密性の素材で形成された袋状のパック部１と、フィルター部２の開口２ａとパック部１の開口１ａとを接続することにより形成され、フィルター部２及びパック部１の双方に連通する連通部１１と、パック部１の開口１ａにおける内側表面に形成され貼り合わせることで、パック部を密封する密封部１２と、密封部１２を開閉させるためのマドラー部とを有する。【選択図】図２
2013241211.tif 000002
【特許請求の範囲】
【請求項１】
開口を有する袋状のフィルター部と、
開口を有し、気密性の素材で形成された袋状のパック部と、
前記フィルター部の開口と前記パック部の開口とを接続することにより形成され、前記フィルター部及び前記パック部の双方に連通する連通部と、
前記パック部の開口における内面に形成され貼り合わせることで、当該パック部を密封する密封部と、
前記密封部を開閉させるための開閉操作部と
を有することを特徴とする包装容器。
【請求項２】
前記開閉操作部は、前記連通部の前記パック部側において、前記パック部の開口に対応する前記パック部の外側表面に取付けられる棒状のマドラー部であり、
前記マドラー部は、一対の棒状部材で形成され、
前記一対の棒状部材で、前記パック部の外側表面から、前記パック部の開口を挟み込み、前記一対の棒状部材を相互に固着することにより、前記パック部の開口を封止する
ことを特徴とする請求項１の包装容器。
【発明の詳細な説明】
【技術分野】
【０００１】
本発明は、コーヒー粉、紅茶や緑茶の葉、その他の食品等の内容物の包装容器に関する。
【背景技術】
【０００２】
従来から、包装袋に収納されたコーヒー粉、紅茶や緑茶の葉、その他の食品等の内容物を濾過するために、漉し器の準備や洗浄等の手間が不要で、使い勝手もよいといったことから、使い捨てタイプのフィルターを有するドリッパーが色々と市販されている。
【０００３】
このようなドリッパーの一つとして、フィルター内にコーヒー粉等の内容物を密封状態で収納した包装袋を添付したものが市販されている。例えば、特許文献１に開示されているように、ドリッパー内に予めコーヒー粉等の内容物を収納したものがあり、使用者にとっては、コーヒー粉を別途用意する手間や前記内容物をドリッパー内に充填する手間が省かれ、ドリッパーを起立させ、ドリッパーに設けられた凸起あるいは切込や切欠部を利用してカップ壁面にドリッパーを載置固定し、熱湯をドリッパー内に注ぐだけでカップ内にレギュラーコーヒーを得ることができる（例えば、特許文献１）。
【先行技術文献】
【特許文献】
【０００４】
【特許文献１】特開２００２−４５２９７号公報
【発明の概要】
【発明が解決しようとする課題】
【０００５】
しかしながら、上記ドリッパーは、ドリッパー内に収納されたコーヒー粉が外気の影響を受けて変質するものであり、販売者は品質保証の意味からも、通常はコーヒー粉等を収納したドリッパーを気密性に優れた包装袋に封入して販売している。そのため、包装袋内において、コーヒー粉等の内容物に、ドリッパーを形成する素材の臭いが移ってしまい、内容物の風味が損なわれる惧れがあった。
【０００６】
そこで、本発明は、上記のような問題を解決するものであり、コーヒー粉、紅茶や緑茶の葉等の内容物を漉すために、漉し器の準備や洗浄等の手間が不要とするとともに、内容物が、外気の影響を受けて変質したり、フィルター等の臭いが移ったりするのを防止して、内容物の風味を保つことができる包装容器を提供することを目的とする。
【課題を解決するための手段】
【０００７】
上記課題を解決するために、本発明の包装容器は、
開口を有する袋状のフィルター部と、
開口を有し、気密性の素材で形成された袋状のパック部と、
前記フィルター部の開口と前記パック部の開口とを接続することにより形成され、前記フィルター部及び前記パック部の双方に連通する連通部と、
前記パック部の開口における内面に形成され貼り合わせることで、当該パック部を密封する密封部と、
前記密封部を開閉させるための開閉操作部と
を有する
ことを特徴とする。
【０００８】
なお、本発明の包装容器に収納される内容物としては、例えば、コーヒー粉、紅茶や緑茶の葉、その他の食品はもとより、薬品、化粧品、化学品の他電子部品など空気に触れないようにして保存する必要のある物のすべてが含まれる。
【０００９】
このような本発明によれば、包装時にあっては、パック部に、コーヒー粉、紅茶や緑茶の葉等の内容物を収納し、開閉操作部を用いて密封部を封止して、当該パック部内を密封する。
【００１０】
パック部に内容物を収納することにより、内容物が外気に触れて酸化するのを防ぐことができ、内容物の変質をよくしすることができる。このときフィルター部は、パック部の外にあり、内容物に接触することがない。これにより、フィルター部の臭いなどが内容物に移ることにより内容物の風味が損なわれることがない。
【００１１】
一方、使用時にあっては、開閉操作部を用いて密封部を開放して、当該パック部の密封を解除することで、パック部内の内容物を、連通部を介し、フィルター部側に移動させて、フィルター部において内容物を濾過することができる。内容物をフィルター部側へ移動させた後のパック部は、例えば切り取り線などを設けておくことによって、パック部を連通部から切り離すようにしてもよい。
【００１２】
上記発明において、開閉操作部は、前記連通部の前記パック部側において、前記パック部の開口に対応する前記パック部の外側表面に取付けられる棒状のマドラー部であり、前記マドラー部は、一対の棒状部材で形成され、前記一対の棒状部材で、前記パック部の外側表面から、前記パック部の開口を挟み込み、前記一対の棒状部材を相互に固着することにより、前記パック部の開口を封止することが好ましい。
【００１３】
このような本発明によれば、包装時にあっては、パック部に、内容物を収納し、開閉操作部である一対の棒状部材で、パック部の外側表面から、パック部の開口を挟み込み、一対の棒状部材を相互に固着することにより、パック部の開口を封止する。これにより、パック部に内容物を収納することにより、内容物が外気に触れて酸化するのを防ぐことができ、内容物の変質をよくしすることができる。
【００１４】
一方、使用時にあっては、開口を挟み込んでいる一対の棒状部材を離間させることにより取り外し、これによりパック部開口の封止を解除することができるので、パック部内の内容物を、連通部を介し、フィルター部側に移動させて、フィルター部において内容物を濾過することができる。
【００１５】
なお、取り外した一対の棒状部材、すなわちマドラー部は、一対の棒状部材を直線状に連結できる仕組みを設け、取り外した後に直線状に連結し、マドラーとして使用することができる。例えば、フィルター部において内容物を濾過している最中に、マドラー部により内容物を撹拌することにより、内容物の濾過を促進させることができるとともに、内容物の風味を引き出すことができる。
【００１６】
さらに、フィルター部の両側に、上下に回動可能なツマミ部を設け、フィルター部をパック部から切り離した後に、ツマミ部を上方に折り曲げてつまみ上げることにより、フィルター部を持ち上げることができ、ツマミ部を保持してフィルター部を上下させることにより、内容物の濾過を促進させることができる。
【発明の効果】
【００１７】
以上述べたように、この発明によれば、コーヒー粉、紅茶や緑茶の葉等の内容物を濾過するために、漉し器の準備や洗浄等の手間が不要とするとともに、内容物が、外気の影響を受けて変質したり、フィルター等の臭いが移ったりして内容物の風味が損なわれるのを防止することができる。
【図面の簡単な説明】
【００１８】
【図１】実施形態に係る包装容器の包装時における全体構成を示す斜視図である。
【図２】実施形態に係る包装容器の開封時における全体構成を示す斜視図である。
【図３】実施形態に係る包装容器の切り離し時における全体構成を示す斜視図である。
【図４】実施形態に係る包装容器の使用時における全体構成を示す斜視図である。
【図５】実施形態に係る包装容器を用いた内容物の濾過方法を模式的に示す説明図であり、（ａ）は撹拌作業時の説明図であり、（ｂ）は濾過作業時の説明図である。
【図６】変更例に係る包装容器の全体構成を側部より示す断面図であり、（ａ）は、包装容器の切り離し前の断面図であり、（ｂ）は、包装容器の切り離し後の断面図である。
【発明を実施するための形態】
【００１９】
以下に添付図面を参照して、本発明に係る包装容器の実施形態を詳細に説明する。なお、本実施形態においては、包装容器内に収納される内容物としてコーヒー粉を例に説明するが、発明の包装容器はこれに限定されるものではなく、コーヒー粉、紅茶や緑茶の葉、その他の食品はもとより、薬品、化粧品、化学品の他電子部品など空気に触れないようにして保存する必要のある物のすべてに利用可能である。
【００２０】
（包装容器の構成）
図１は、本実施形態に係る包装容器１０の全体構成を示す斜視図である。同図に示すように、本実施形態に係る包装容器１０は、フィルター部２と、パック部１と、連通部１１と、マドラー部３とから概略構成される。なお、図１は、本発明の包装容器１０をさらに透明な気密性の包装パック５内に真空パックした状態を示している。
【００２１】
前記フィルター部２は、内容物６を濾過する袋状の濾過材であり、コーヒーフィルターに用いられる濾紙や、ポリエチレン系やポリプロピレン系、あるいは、ポリエステル系等の透水性を有する不織布を用いて構成することができる。このフィルター部２の上部には、開口２ａが設けられており、この開口２ａを介してパック部１が連結されている。
【００２２】
なお、本実施形態では、フィルター部２の両側に、上下に回動可能なツマミ部４，４を設け、フィルター部２をパック部１から切り離した後に、ツマミ部４，４を上方に折り曲げてつまみ上げることにより、フィルター部２を持ち上げることができるようになっている。さらに、このツマミ部４，４には、切込４ａがそれぞれ設けられており、図４に示すように、ツマミ部４，４を左右に若干拡げて、この切込４ａをマグカップの縁などに引っ掛けることにより、フィルター部２をマグカップ上に設置することができる。
【００２３】
パック部１は、内容物６を収納する気密性の素材で形成された袋状の部材であり、下部に開口１ａを有し、この開口１ａを介して、下方に位置されるフィルター部２と連結されている。このパック部１としては、気密性を有する素材であれば、ビニールやアルミパックなどの他、完全に密封しないように不織布や紙で形成することもできる。
【００２４】
連通部１１は、フィルター部２の開口２ａとパック部１の開口１ａとを接続することにより形成され、フィルター部２及びパック部１の双方に連通する部分であり、この連通部１１のパック部１側にミシン目や、線状のガイドフィルムによって形成された切り取り線７を設け、この切り取り線７に沿って、パック部１をフィルター部２から切り離せるようになっている。
【００２５】
マドラー部３は、連通部１１の密封部１２を開閉させるための開閉操作手段であり、連通部１１のパック部１側に配置され、パック部１の開口１ａに対応する外側表面１ｂに取付けられる棒状の部材である。本実施形態では、一対の棒状部材３ａ，３ａで形成され、この一対の棒状部材３ａ，３ａで、パック部１の外側表面１ｂから、パック部１の開口１ａを挟み込み、一対の棒状部材３ａ，３ａを相互に固着することにより、パック部１の開口１ａを封止する。なお、マドラー部３の一対の棒状部材３ａ，３ａ相互の固定は、例えば、連通部１１におけるパック部１の部材及びフィルター部２の部材を貫通させて点線状に熱溶着させ、一方の棒状部材３ａ，３ａをパック部１の表面から引き剥がすことにより、相互の熱溶着部分が切断され、連通部１１が開放され、パック部１とフィルター部２とが連通するようにしている。
【００２６】
連通部１１の密封部１２は、パック部１の開口１ａにおける内側表面１ｃに形成され貼り合わせ、開口１ａを封止することで、パック部１を密封する密封手段である。この密封部１２は、一方の棒状部材３ａ，３ａをパック部１の表面から引き剥がすことにより連通部１１が開放されるような方式であれば種々のものを採用することができ、例えば、マドラー部３に対応する部位、若しくはマドラー部３よりもパック部１側の部位を熱溶着（ヒートシール）、その他の圧着方法、または粘着シートなどの粘着性の材料によりパック部１表裏のシート材を密着させる他、連通部１１内面にゴム等の可撓性部材からなるパッキンを接着し、これをマドラー部３により外方より挟み込んで密着させるようにしてもよい。また、凹凸形状を噛み合わせて密着させる樹脂製ジッパーを備えた合成樹脂製袋（例えば、旭化成工業株式会社，エス・シー・ジョンソン・ホーム・ストーリッジインコーポレーテッド所有登録商標「ジップロック」で知られている合成樹脂製袋など）を用いてもよい。
【００２７】
なお、取り外した一対の棒状部材３ａ，３ａ、すなわちマドラー部３は、一対の棒状部材３ａ，３ａを直線状に連結できる仕組みを設け、取り外した後に直線状に連結し、マドラーとして使用することができる。例えば、フィルター部２において内容物６を濾過している最中に、マドラー部３により内容物６を撹拌することにより、内容物６の濾過を促進させることができるとともに、内容物６の風味を引き出すことができる。
【００２８】
また、包装パック５の上部には、ミシン目や、線状のガイドフィルムによって形成された切り取り線５ｂが設けられており、切り取り線５ｂの両側部には切欠部５ａ，５ａが設けられている。この切欠部５ａ，５ａ、及び切り取り線５ｂに沿って切り離すことで、包装容器１０を取り出すことができる。
【００２９】
（使用方法）
このような本実施形態に係る包装容器１０では、先ず、包装時にあっては、図１に示すように、パック部１に、コーヒー粉、紅茶や緑茶の葉等の内容物６を収納し、マドラー部３の一対の棒状部材３ａ，３ａで、パック部１の外側表面１ｂから、パック部１の開口１ａを挟み込み、一対の棒状部材３ａ，３ａを相互に固着することにより、連通部１１において、パック部１の開口１ａを封止する。
【００３０】
一方、使用時にあっては、パック部１の開口１ａの封止を解除することで、パック部１内の内容物６を、連通部１１を介し、フィルター部２側に移動させて、フィルター部２において内容物６を濾過することができる。このとき、図２に示すように、開口１ａを挟み込んでいる一対の棒状部材３ａ，３ａを離間させることにより取り外し、これによりパック部１の開口１ａの封止を解除することができる。このとき、取り外した一対の棒状部材３ａ，３ａを直線状に連結することにより、マドラーとして使用することができる。
【００３１】
その後、図３に示すように、内容物６をフィルター部２側へ移動させた後、パック部１を取り線７を引きちぎるなどして、パック部１を連通部１１から切り離す。そして、図４に示すように、ツマミ部４，４を左右に若干拡げて、各切込４ａをマグカップの縁などに引っ掛けることにより、フィルター部２をマグカップ上に設置することができる。この状態において、図５（ａ）に示すように、フィルター部２において内容物６を濾過している最中に、マドラー部３により内容物６を撹拌することにより、内容物６の濾過を促進させることができるとともに、内容物の風味を引き出すことができる。
【００３２】
また、濾過作業時においては、図５（ｂ）に示すように、フィルター部２の両側に設けられたツマミ部４，４を上方に折り曲げてつまみ上げることにより、フィルター部２を持ち上げることができるようになっている。ツマミ部４，４を保持してフィルター部２を上下させることにより、内容物６の濾過を促進させることができる。
【００３３】
（作用・効果）
このような本発明によれば、包装時にあっては、パック部１に内容物６を収納することにより、内容物６が外気に触れて酸化するのを防ぐことができ、内容物６の変質を抑止できる。このときフィルター部２は、パック部１の外にあり、内容物６に接触することがないことから、フィルター部２の臭いなどが内容物６に移ることがなく、内容物６の風味が損なわれることがない。
【００３４】
一方、使用時にあっては、パック部１の開口１ａの封止を解除することで、パック部１内の内容物６を、連通部１１を介し、フィルター部２側に移動させて、フィルター部２において内容物６を容易に濾過することができる。このとき、図５（ａ）に示すように、フィルター部２において内容物６を濾過している最中に、マドラー部３により内容物６を撹拌することにより、内容物６の濾過を促進させることができるとともに、内容物６の風味を引き出すことができる。また、濾過している最中に、図５（ｂ）に示すように、フィルター部２の両側に設けられたツマミ部４，４を上方に折り曲げてつまみ上げることにより、フィルター部２を持ち上げることができるようになっている。ツマミ部４，４を保持してフィルター部２を上下させることにより、内容物６の濾過を促進させることができる。
【００３５】
以上述べたように、本実施形態によれば、コーヒー粉、紅茶や緑茶の葉等の内容物６を濾過するために、漉し器の準備や洗浄等の手間が不要とするとともに、内容物６が、外気の影響を受けて変質したり、フィルター等の臭いが移ったりして内容物６の風味が損なわれるのを防止することができる。
【００３６】
（変更例）
なお、上述した実施形態では、開閉操作手段として、マドラー部３を用い、パック部１の開口１ａを開閉させる構成としたが、本発明は、これに限定するものではなく、パック部１の密封状態を維持するとともに、利用時において、容易に連通部１１を開放させることができればよく、異なる部材を用いてもよい。
【００３７】
例えば、図６（ａ）及び（ｂ）に示すように、一対の取っ手部３０ａ，３０ａを開閉操作手段として用いるとともに、樹脂製ジッパー１３を密封手段として用いててもよい。具体的に、一対の取っ手部３０ａ，３０ａは、パック部１の開口１ａに対応する外側表面１ｂ，１ｂに取付けられ、上下に回動可能な部材であり、図６（ａ）及び（ｂ）に示すように、使用者が一対の取っ手部３０ａ，３０ａを把持して外方に引っ張ることが可能となっている。
【００３８】
また、樹脂製ジッパー部１３は、図６（ａ）及び（ｂ）に示すように、相互に嵌合可能な一対の凹条部１３ａと凸条部１３ｂとを、パック部１の内側表面１ｃ，１ｃに形成して構成させる。この凹条部１３ａと凸条部１３ｂとは、パック部１の幅方向に設けられ、両シートが重なり合ったときに、相対向する位置に形成されている。
【００３９】
このような構成によって、図６（ａ）に示すように、使用者が取っ手部３０ａ，３０ａを外方に向けて引っ張ることにより、嵌合された一対の凹条部１３ａと凸条部１３ｂとは引き離され、パック部１の密封は解除される。そして、図６（ｂ）に示すように、パック部１の内容物６を、連通部１１を介し、フィルター部２側に移動させて、フィルター部２において内容物６を濾過することができる。
【００４０】
このような本変更例によれば、密封手段として、樹脂製ジッパー１３を用いているので、包装時にあっては、内容物６が外気に触れて酸化するのを防ぐことができ、内容物６の変質を抑止できる。また、使用時にあっては、取っ手部３０ａ，３０ａを左右に引っ張ることのみで、パック部１の密封を解除することができ、容易にパック部１内の内容物６をフィルター部２側に移動させて、フィルター部２において内容物６を濾過することができる。
【００４１】
なお、本変更例では、開閉操作手段として、一対の取っ手部３０ａ，３０ａを用いたが、これに限定するものではなく、例えば、ツマミ部４を開閉操作手段として用い、ツマミ部４を外方に引っ張ることで、嵌合された一対の凹条部１３ａと凸条部１３ｂとを引き離す機能を持たせてもよい。
【符号の説明】
【００４２】
１…パック部
１ａ…パック部の開口
１ｂ…外側表面
１ｃ…内側表面
２…フィルター部
２ａ…フィルター部の開口
３…マドラー部
３ａ…棒状部材
４…ツマミ部
４ａ…切込
５…包装パック
５ａ…切欠部
５ｂ…切り込み線
６…内容物
７…切り込み線
１０…包装容器
１１…連通部
１２…密封部
１３…樹脂製ジッパー１３
１３ａ…凹条部
１３ｂ…凸条部
３０ａ…取っ手部
【図１】
2013241211.tif 000003
【図２】
2013241211.tif 000004
【図３】
2013241211.tif 000005
【図４】
2013241211.tif 000006
【図５】
2013241211.tif 000007
【図６】
2013241211.tif 000008